(57)【特許請求の範囲】
【請求項１】
コンベヤラインの途中に、当該コンベヤラインが通る通路を遮断するシャッターの昇降用空間部が形成され、この空間部に、被搬送物支持中継位置と当該空間部の外側に逃げた退避位置との間で上下揺動自在な被搬送物中継用ローラーが設けられると共に、押し下げ操作されることにより当該被搬送物中継用ローラーを被搬送物支持中継位置から退避位置へ切り換える上下動被操作レバーが併設され、シャッター降下時に前記被操作レバーを押し下げる操作部が前記シャッターの下端に設けられたコンベヤ設備において、前記シャッターの下端に、当該シャッター下端の前記通路巾方向の略全長にわたって連続し且つ障害物との当接により押し上げられる上下動検出片を備えた障害物検知センサーが設けられ、シャッター下端の前記操作部は、前記検出片よりも下方に突出するようにシャッター下端に付設された操作片で構成され、このシャッターで遮断される前記通路の床面には、前記操作片が遊嵌する凹部が設けられている、コンベヤ設備。
【請求項２】
前記操作片は、前記検出片の真下に位置する押し下げ作用板部を備えている、請求項１に記載のコンベヤ設備。
【請求項３】
前記操作片は、前記検出片の真下位置に対して横側方に位置する押し下げ作用板部を備え、床面側の前記凹部が前記検出片の真下位置から前記操作片の押し下げ作用板部のある側にずれて設けられ、シャッター降下遮断時に前記検出片の下端面が全長にわたって連続して床面に当接するように構成された、請求項１に記載のコンベヤ設備。
【発明の詳細な説明】
【技術分野】
【０００１】
本発明は、コンベヤラインの途中に、当該コンベヤラインが通る通路を遮断する防火シャッターが設けられたコンベヤ設備に関するものである。
【背景技術】
【０００２】
この種のコンベヤ設備では、特許文献１にも記載されるように、コンベヤラインの途中に、当該コンベヤラインが通る通路を遮断するシャッターの昇降用空間部が形成されるので、シャッターが開いている状態において前記シャッター昇降用空間部を被搬送物が安全確実に通過し得るように、当該シャッター昇降用空間部に、被搬送物支持中継位置と当該空間部の外側に逃げた退避位置との間で上下揺動自在な被搬送物中継用ローラーが設けられると共に、押し下げ操作により当該被搬送物中継用ローラーを被搬送物支持中継位置から退避位置に切り換えるための被操作レバーが併設され、シャッター降下時に前記被操作レバーを当該シャッター下端の操作部で押し下げて前記ローラーを被搬送物支持中継位置から退避位置に切り換えるように構成される。
【特許文献１】特開２００５−１４５７０４号公報
【発明の開示】
【発明が解決しようとする課題】
【０００３】
しかしながら、上記コンベヤラインが通る通路が人や運搬車両などの通路も兼ねている場合、即ち、人や車両の通行用通路脇にコンベヤラインが敷設されている場合には、シャッターが火炎発生時などにおいて自動的に降下閉動するときに、そのシャッター下のコンベヤライン脇を通行中の人や車両にシャッターが上から衝突する危険を回避するための安全対策を講じる必要が生じる。この場合の安全対策としては、シャッターの下端に、当該シャッター下端の前記通路巾方向の略全長にわたって連続し且つ障害物との当接により押し上げられる上下動検出片を備えた障害物検知センサーを付設し、このセンサーの検知信号でシャッターの降下を自動停止させるように制御するのが最も一般的であるが、このような障害物検知センサーがシャッターの下端に付設された場合、シャッター降下時にシャッター昇降経路内に突出している前記被操作レバーを前記センサーが検知してしまい、実際には障害物がないにもかかわらずシャッターが途中で停止し、所期の目的通りに機能しなくなる。
【課題を解決するための手段】
【０００４】
本発明は上記のような従来の問題点を解消し得るコンベヤ設備を提供することを目的とするものであって、その手段を後述する実施形態の参照符号を付して示すと、コンベヤライン２の途中に、当該コンベヤライン２が通る通路３を遮断するシャッター１の昇降用空間部６が形成され、この空間部６に、被搬送物支持中継位置Ｐ１と当該空間部６の外側に逃げた退避位置Ｐ２との間で上下揺動自在な被搬送物中継用ローラー７が設けられると共に、押し下げ操作されることにより当該被搬送物中継用ローラー７を被搬送物支持中継位置Ｐ１から退避位置Ｐ２へ切り換える上下動被操作レバー８ａ，８ｂが併設され、シャッター降下時に前記被操作レバー８ａ，８ｂを押し下げる操作部２１が前記シャッター１の下端に設けられたコンベヤ設備において、前記シャッター１の下端に、当該シャッター下端の前記通路巾方向の略全長にわたって連続し且つ障害物との当接により押し上げられる上下動検出片２０ａを備えた障害物検知センサー２０が設けられ、シャッター下端の前記操作部２１は、前記検出片２０ａよりも下方に突出するようにシャッター下端に付設された操作片２２ａ，２２ｂで構成され、このシャッター１で遮断される前記通路３の床面３ａには、前記操作片２２ａ，２２ｂが遊嵌する凹部２５ａ，２５ｂが設けられた構成となっている。
【０００５】
上記構成の本発明を実施するについて、具体的には請求項２に記載のように、前記操作片２２ａ，２２ｂは、前記検出片２０ａの真下に位置する押し下げ作用板部２４を備えたものとすることができる。又、請求項３に記載のように、前記操作片２２ａ，２２ｂは、前記検出片２０ａの真下位置に対して横側方に位置する押し下げ作用板部２４を備えたものとし、床面３ａ側の前記凹部２５ａ，２５ｂは前記検出片２０ａの真下位置から前記操作片２２ａ，２２ｂの押し下げ作用板部２４のある側にずらして設け、シャッター降下遮断時に前記検出片２０ａの下端面が全長にわたって連続して床面３ａに当接するように構成することができる。
【発明の効果】
【０００６】
上記構成の本発明に係るコンベヤ設備によれば、降下するシャッターの下でコンベヤライン脇の通路部分で人や車両などの障害物があるか否かを検出する手段として、当該シャッター下端の前記通路巾方向の略全長にわたって連続し且つ障害物との当接により押し上げられる上下動検出片を備えた障害物検知センサーをシャッターの下端に付設するものであるから、通路側に設けられた光電センサーなどが人や車両を検出状態にあるときはシャッターにインターロックをかけて降下遮断動作しないように制御する場合と比較して、シャッター側で安全対策のための全てを構成することができ、又、上記のような障害物検知センサーをシャッターの下端全域に備えた既製の安全対策済みシャッターをそのまま利用することができ、降下するシャッターで人身事故などが生じるのを防止する安全対策を容易且つ安価に実施することができる。そして勿論、シャッター降下を妨げる障害物、即ち、シャッター降下時に前記障害物検知センサーが検出する人や車両、或いはコンベヤライン上の被搬送物などがないときは、当該シャッターが備える操作片で被搬送物中継用ローラーを退避位置に切り換え、シャッターを確実に下降限まで降下させることができる。しかも、障害物検知センサーの上下動検出片よりも下方に突出する前記操作片の存在にかかわらず、シャッター降下遮断時に当該シャッターの下端（障害物検知センサーの上下動検出片の下端面）と床面との間に隙間を生じさせることがなく、当該シャッターによる防火性能を低下させてしまう恐れもない。
【０００７】
尚、請求項２に記載の構成によれば、操作片の取り付けによって障害物検知センサーの前後巾が局部的に大きくなるのを最小限に抑えることができ、コンベヤラインの途中に設けられるシャッター昇降用空間部の前後巾を従来のものと変えることなく本発明を実施することができる。又、請求項３に記載の構成によれば、シャッター降下遮断時に当該シャッターの前後空間が床面側の前記凹部を経由して連通してしまうのを床面に当接する障害物検知センサーの検出片で防止することができ、所期通りの高い防火性能を維持させることができる。
【発明を実施するための最良の形態】
【０００８】
以下に本発明の具体的実施例を添付図に基づいて説明すると、図１において、１は防火シャッターであって、コンベヤライン２が貫通する通路３を火災発生時などに自動遮断するものである。通路３は、コンベヤライン２とその片側の人や車両などの通行用通路部分４とが並列する巾を有し、シャッター１はこの通路３の全巾を開閉できる巾を有するもので、天井側に配設されたドラム５によって巻き込み繰り出し操作されることにより、通路３の左右両側壁に付設されたガイドレール１ａ，１ｂに左右両側辺が案内される状態で垂直に昇降する。このシャッターの制御装置、即ち、ドラム５を駆動するモーターの制御装置は、火災発生時などに入力される通路遮断指令によってシャッター１を繰り出して降下させ、通路３を遮断する。従って、この実施形態においてコンベヤライン２を構成する駆動ローラーコンベヤは、駆動ローラーコンベヤ２Ａ，２Ｂに分断され、両駆動ローラーコンベヤ２Ａ，２Ｂ間にシャッター１が昇降するシャッター昇降用空間部６が形成されている。
【０００９】
シャッター昇降用空間部６には、図２〜図４に示す被搬送物支持中継位置Ｐ１と図５に示すように当該空間部６の外側に逃げた退避位置Ｐ２との間で上下揺動自在な被搬送物中継用ローラー７が設けられると共に、前記シャッター１の昇降経路内に突出し且つシャッター１で押し下げられることにより前記ローラー７を被搬送物支持中継位置Ｐ１から退避位置Ｐ２へ切り換える左右一対の被操作レバー８ａ，８ｂが併設されている。
【００１０】
上記被搬送物中継用ローラー７と被操作レバー８ａ，８ｂとの関連構成は、先に示した特許文献１により従来周知のものであるが、図２〜図５に基づいて簡単に説明すると、前記被搬送物中継用ローラー７は、両駆動ローラーコンベヤ２Ａ，２Ｂの内、一方の駆動ローラーコンベヤ、図示例では駆動ローラーコンベヤ２Ａのシャッター昇降用空間部６に隣接する端部に設けられた左右一対の上下動アーム９ａ，９ｂの遊端部間に、両駆動ローラーコンベヤ２Ａ，２Ｂの各駆動ローラー１０（その駆動機構の図示は省略）と平行に軸支されている。左右一対の上下動アーム９ａ，９ｂは、コンベヤの左右両側フレーム１１ａ，１１ｂの外側に配設された左右一対の起立基板１２ａ，１２ｂに、互いに同心状の支軸１３により基部が上下揺動自在に支承され、この支軸１３の周りに左右一対の上下動アーム９ａ，９ｂが例えば重力により回動垂下することにより、被搬送物中継用ローラー７が図５に示す退避位置Ｐ２に切り換わるように構成されている。
【００１１】
被操作レバー８ａ，８ｂは、左右一対の起立基板１２ａ，１２ｂの前記支軸１３より上方で且つシャッター昇降用空間部６に寄った位置において互いに同心状の支軸１４により軸支された左右一対の係止レバー１５ａ，１５ｂから固着連設されたもので、係止レバー１５ａ，１５ｂと共に上下動アーム９ａ，９ｂの外側を上下に揺動することができる。左右一対の係止レバー１５ａ，１５ｂの遊端部には、上下動アーム９ａ，９ｂの基部近傍下側辺に形成された被係合部１６に対して係脱自在な係止ローラー１７が軸支され、図２に示すように、これら係止レバー１５ａ，１５ｂが支軸１４から真下に垂下する姿勢にある状態で前記係止ローラー１７が、重力に抗して支軸１３の周りで上方に揺動した上下動アーム９ａ，９ｂの被係合部１６に係合することにより、被搬送物中継用ローラー７が被搬送物支持中継位置Ｐ１に保持されるように構成されている。
【００１２】
又、上記のように被搬送物中継用ローラー７が係止レバー１５ａ，１５ｂにより被搬送物支持中継位置Ｐ１に保持されているとき、被操作レバー８ａ，８ｂが支軸１４から斜め前方上方に向かって傾斜し、その遊端被操作部１８が側面視において、被搬送物支持中継位置Ｐ１に保持されている被搬送物中継用ローラー７の上方位置でシャッター１の昇降経路内に位置するように構成されている。更に係る状態にあるとき、上下動アーム９ａ，９ｂの被係合部１６に係止ローラー１７が嵌まり込む方向に係止レバー１５ａ，１５ｂを付勢する重錘部１９ａ，１９ｂが当該係止レバー１５ａ，１５ｂのそれぞれから連設されており、これら重錘部１９ａ，１９ｂの付勢力により、係止レバー１５ａ，１５ｂが上下動アーム９ａ，９ｂを係止する垂下姿勢に保持され、被搬送物中継用ローラー７が被搬送物支持中継位置Ｐ１に保持されるように構成されている。
【００１３】
シャッター１には、その下端に障害物検知センサー２０が取り付けられている。この障害物検知センサー２０は、シャッター下端の前記通路３の巾方向の略全長にわたって連続する上下動検出片２０ａを備えている。この上下動検出片２０ａは、シャッター下端に取り付けられた長尺箱型のセンサー本体２０ｂから下方に突出するようにスプリングなどの付勢手段により下向きに付勢されたもので、障害物との当接により長さ方向の何れか１箇所でも付勢力に抗して押し上げられたとき（従って、全体が平行に上昇したときは勿論のこと、部分的に押し上げられて全体が傾斜したときも含めて）、センサー本体２０ｂ内のリミットスイッチをＯＮ動作するものであり、このとき障害物検知センサー２０からシャッター制御装置に対し非常停止のための障害物検知信号が出力される。
【００１４】
上記のシャッター１が降下したとき、被操作レバー８ａ，８ｂの遊端被操作部１８を押し下げ操作する操作部２１として、当該シャッター１の下端、具体的には障害物検知センサー２０のセンサー本体２０ｂに、各被操作レバー８ａ，８ｂの真上に位置するように左右一対の操作片２２ａ，２２ｂが取り付けられている。これらシャッター下端の操作片２２ａ，２２ｂは、図２Ａに示すように、垂直な取付板部２３と当該取付板部２３の下端から直角水平に延出する押し下げ作用板部２４とから成るＬ字形板材から構成され、その押し下げ作用板部２４が被操作レバー８ａ，８ｂの真上で且つ障害物検知センサー２０の上下動検出片２０ａの真下に位置するように、取付板部２３がセンサー本体２０ｂの一側面（被操作レバー８ａ，８ｂの上下動支軸１４のある側の側面）に取り付けられている。又、シャッター１が降下して通路３を遮断したとき、障害物検知センサー２０の上下動検出片２０ａが通路床面３ａに当接できるように、当該通路床面３ａには、各操作片２２ａ，２２ｂの下端部が遊嵌する凹部２５ａ，２５ｂが設けられている。
【００１５】
尚、操作片２２ａ，２２ｂは、図２Ｂに示すように、押し下げ作用板部２４とこの押し下げ作用板部２４の左右両端から垂直に立ち上がる左右一対の取付板部２３ａ，２３ｂとから成る角Ｕ字形板材から構成することもできる。この場合は、左右一対の取付板部２３ａ，２３ｂをセンサー本体２０ｂの前後両側面に取り付けることができ、押し下げ作用板部２４が両持ち構造となるので、薄板から構成しても十分な押し下げ強度を持たせることができる。
【００１６】
以上のように構成されたコンベヤ設備では、通常は図１に実線で示すように、シャッター１はドラム５に巻き込まれて上昇限まで上げられ、通路３が完全に開放されている。そして被搬送物中継用ローラー７は、図２〜図４に示すように被搬送物支持中継位置Ｐ１に保持され、両駆動ローラーコンベヤ２Ａ，２Ｂ間のシャッター昇降用空間部６を塞いでコンベヤライン２を接続している。従って、駆動ローラーコンベヤ２Ａ，２Ｂの一方から他方へ各コンベヤの駆動ローラー１０の回動により搬送される被搬送物は、被搬送物支持中継位置Ｐ１にある被搬送物中継用ローラー７で支持されながらシャッター昇降用空間部６を安全に通過することができる。この被搬送物中継用ローラー７上を被搬送物が通過するとき、当該被搬送物中継用ローラー７を軸支する上下動アーム９ａ，９ｂに作用する下向きの回転力は、当該上下動アーム９ａ，９ｂの被係合部１６と係止レバー１５ａ，１５ｂ側の係止ローラー１７とを介して支軸１４から真下に垂下する姿勢にある係止レバー１５ａ，１５ｂで受け止められ、被搬送物中継用ローラー７は確実に被搬送物支持中継位置Ｐ１に保持される。
【００１７】
上記の使用状態において、火災報知機などからの信号又は手動操作により通路遮断指令がシャッター制御装置に入力されると、ドラム５がシャッター繰り出し方向に回動し、上昇限位置に保持されていたシャッター１が通路３の左右両側壁のガイドレール１ａ，１ｂに案内されながら垂直に降下することになる。このシャッター１の降下経路中に、図１に仮想線で示すように、コンベヤライン２脇の通行用通路部分４を通行する人や車両、或いは被搬送物中継用ローラー７上を通過中の被搬送物など、シャッター１の降下を妨げる障害物があると、降下するシャッター１の下端全長にわたって取り付けられている障害物検知センサー２０の上下動検出片２０ａが当該障害物に当接し、シャッター１の降下に伴って上下動検出片２０ａが相対的に突き上げられてセンサー本体２０ｂが内蔵するリミットスイッチがＯＮ動作し、シャッター制御装置に対し障害物検知信号が出力されるので、降下するシャッター１が非常停止することになる。この非常停止後の制御は従来周知のように行わせることができるが、防火シャッター１の場合、通路３を遮断するのが最終目的であるから、シャッター１の降下を非常停止させて警報などにより当該事態を報知した後、非常停止したシャッター１を一旦設定高さ分だけ上昇させ、その後、設定時間経過後に再度シャッター１を降下させるように制御することができる。
【００１８】
上記のような障害物がなくてシャッター１の降下が進むと、当該シャッター１の下端の操作部２１を構成する左右一対の操作片２２ａ，２２ｂが左右一対の被操作レバー８ａ，８ｂの遊端被操作部１８を押し下げることになる。而して、シャッター１の降下に伴って両被操作レバー８ａ，８ｂの遊端被操作部１８が前記操作片２２ａ，２２ｂによって押し下げられると、図２に仮想線で示すように、これら両被操作レバー８ａ，８ｂが支軸１４の周りに下方へ回動するのに伴って係止レバー１５ａ，１５ｂも当該被操作レバー８ａ，８ｂと一体に支軸１４の周りで回動し、係止ローラー１７が上下動アーム９ａ，９ｂ側の被係合部１６から離脱する。この結果、係止レバー１５ａ，１５ｂによる上下動アーム９ａ，９ｂの支持が解除されて上下動アーム９ａ，９ｂがフリーになるので、図５に示すように、当該上下動アーム９ａ，９ｂが重力で支軸１３の周りに下方へ回動して支軸１３から真下に垂下する姿勢になり、被搬送物中継用ローラー７がシャッター昇降用空間部６の横側方の退避位置Ｐ２に切り換えられることになる。
【００１９】
シャッター１は、上記のように被搬送物中継用ローラー７が被搬送物支持中継位置Ｐ１から退避位置Ｐ２に切り換えられて空き状態になったシャッター昇降用空間部６内を、被操作レバー８ａ，８ｂを押し下げつつ降下するが、図２に仮想線で示すように、被操作レバー８ａ，８ｂ及び係止レバー１５ａ，１５ｂと共に一体に支軸１４の周りに回動する重錘部１９ａ，１９ｂが支軸１４を通る垂直中立線を反対側に超えると、被操作レバー８ａ，８ｂ、係止レバー１５ａ，１５ｂ及び重錘部１９ａ，１９ｂは、図５に示すように、被操作レバー８ａ，８ｂが支軸１４から真下に垂下して遊端被操作部１８がシャッター１の昇降経路から横側方に離れた退避姿勢に重力バランスで保持される。
【００２０】
一方、降下するシャッター１は、図５に示すように、その下端、即ち、障害物検知センサー２０の上下動検出片２０ａが通路３の床面３ａに当接する下降限まで降下して停止することになる。このときシャッター１の下端の操作部２１を構成する左右一対の操作片２２ａ，２２ｂは、床面３ａに設けられている凹部２５ａ，２５ｂ内に遊嵌する。換言すれば、操作片２２ａ，２２ｂが凹部２５ａ，２５ｂ内に遊嵌することにより、シャッター１は、図５に示すように、その下端（障害物検知センサー２０の上下動検出片２０ａ）が通路３の床面３ａに当接する下降限まで降下して停止することができる。尚、このようにシャッター１が下降限まで降下したとき、障害物検知センサー２０の上下動検出片２０ａが床面３ａによって相対的に押し上げられた状態（床面検出状態）となるように構成しても良いし、上下動検出片２０ａが床面３ａによって押し上げられる直前の、上下動検出片２０ａが床面３ａに近接したときがシャッター１の下降限となるように、シャッター１の降下を止めるストッパーを設けても良い。
【００２１】
被操作レバー８ａ，８ｂを押し下げる高さに達した以降でシャッター１の降下を妨げる障害物があった場合、即ち、シャッター１の降下を妨げる障害物の高さが、シャッター１の操作部２１で押し下げられる前の被操作レバー８ａ，８ｂの遊端被操作部１８よりも低い場合でも、当該障害物をシャッター下端の障害物検知センサー２０によって検出できる。従って、降下するシャッター１が被操作レバー８ａ，８ｂを押し下げつつあるか又は、被操作レバー８ａ，８ｂを押し下げて被搬送物中継用ローラー７を退避位置Ｐ２に切り換えた後であっても、障害物検出に伴ってシャッター１に非常停止をかけることができる。
【００２２】
尚、上記実施形態では左右一対の被操作レバー８ａ，８ｂを設けているが、コンベヤライン２の左右何れか片側にのみ被操作レバー８ａ（又は８ｂ）を配設することができる。この場合は、被操作レバー８ａ（又は８ｂ）に対応する側の操作片２２ａ（又は２２ｂ）と凹部２５ａ（又は２５ｂ）のみを設ければ良い。又、コンベヤライン２の左右何れか片側にのみ被操作レバー８ａ（又は８ｂ）を配設する場合、具体的には左右一対の上下動アーム９ａ，９ｂを支軸１３などにより一体化し、被操作レバー８ａ（又は８ｂ）を配設した側にのみ係止レバー１５ａ（又は１５ｂ）及び重錘部１９ａ（又は１９ｂ）を設けても良いし、左右一対の上下動アーム９ａ，９ｂそれぞれに対して係止レバー１５ａ，１５ｂ及び重錘部１９ａ，１９ｂを設け、左右一対の係止レバー１５ａ，１５ｂを支軸１４などにより一体化し、何れか一方の係止レバー１５ａ（又は１５ｂ）に被操作レバー８ａ（又は８ｂ）を連設しても良い。
【００２３】
又、上記実施形態では、シャッター下端の操作部２１として設けられた操作片２２ａ，２２ｂは、障害物検知センサー２０の上下動検出片２０ａの真下に位置する押し下げ作用板部２４を有するものであるから、図５に示すように、シャッター１の下端（障害物検知センサー２０の上下動検出片２０ａ）が床面３ａに当接する下降限に達したとき、前記操作片２２ａ，２２ｂ（押し下げ作用板部２４）が遊嵌する床面３ａ側の凹部２５ａ，２５ｂの真上を障害物検知センサー２０の上下動検出片２０ａが横断することになり、凹部２５ａ，２５ｂの前後巾を最小限に狭めても上下動検出片２０ａの前後両側で凹部２５ａ，２５ｂが開口する状態になる。即ち、通路３を遮断したシャッター１の前後の空間が凹部２５ａ，２５ｂを介して連通することになり、防火（防煙）性能が若干といえども低下する。
【００２４】
上記の問題点を解消するため、シャッター下端の操作部２１として設けられる操作片２２ａ，２２ｂを、図６に示される操作片２２ａのように、障害物検知センサー２０の上下動検出片２０ａの真下位置に対して横側方に位置する押し下げ作用板部２４を備えた構造とすることができる。この構成によれば、通路３の床面３ａに設けられる凹部２５ａ，２５ｂは、障害物検知センサー２０の上下動検出片２０ａの真下位置に対して横側方にずれて設けられることになり、シャッター１が下降限に達して操作片２２ａ，２２ｂ（押し下げ作用板部２４）が床面３ａ側の凹部２５ａ，２５ｂに遊嵌し、前記上下動検出片２０ａが床面３ａに当接したとき、当該上下動検出片２０ａの前後の片側に凹部２５ａ，２５ｂが位置し、当該上下動検出片２０ａがその全長にわたって連続して床面３ａに当接することになる。従って、通路３を遮断したシャッター１の前後の空間が凹部２５ａ，２５ｂを介して連通することは避けられ、若干といえども防火（防煙）性能が低下することはなくなる。
【図面の簡単な説明】
【００２５】
【図１】Ａ図はコンベヤライン及びシャッターを備えた通路の側面図、Ｂ図は同通路のシャッター位置での正面図である。
【図２】Ａ図はシャッター下端の構成とコンベヤライン要部の構成とを示す側面図、Ｂ図はシャッター下端の構成の変形例を示す側面図である。
【図３】図２Ａの一部切欠き正面図である。
【図４】図２Ａのコンベヤライン要部の平面図である。
【図５】シャッターが通路を遮断した状態でのコンベヤライン要部の一部切欠き側面図である。
【図６】Ａ図は本発明の別実施形態を示す要部の側面図、Ｂ図は同別実施形態のシャッターが通路を遮断した状態での要部の側面図である。
【符号の説明】
【００２６】
１    防火シャッター
２    コンベヤライン
２Ａ，２Ｂ    駆動ローラーコンベヤ
３    通路
４    人や車両などの通行用通路部分
５    シャッター巻き込み繰り出し用ドラム
６      シャッター昇降用空間部
７    被搬送物中継用ローラー
８ａ，８ｂ    被操作レバー
９ａ，９ｂ    上下動アーム
１０    駆動ローラー
１３，１４    支軸
１５ａ，１５ｂ    係止レバー
１６    被係合部
１７    係止ローラー
１８    被操作レバーの遊端被操作部
１９ａ，１９ｂ    重錘部
２０    障害物検知センサー
２０ａ    上下動検出片
２０ｂ    センサー本体
２１    操作部
２２ａ，２２ｂ    操作片
２３，２３ａ，２３ｂ    取付板部
２４    押し下げ作用板部
２５ａ，２５ｂ    凹部
Ｐ１    被搬送物支持中継位置
Ｐ２    退避位置
【図１】
0004586756.tif 000002
【図２】
0004586756.tif 000003
【図３】
0004586756.tif 000004
【図４】
0004586756.tif 000005
【図５】
0004586756.tif 000006
【図６】
0004586756.tif 000007